(57)【要約】【課題】  コーキング剤を容易に剥がすことが可能なこと。【解決手段】  本発明のコーキング施工方法は、上記課題を解決するために、機器同士の接合部へのコーキング剤の施工を実施する前に、前記接合部に網目状又は帯状の帯部材を取り付け、該帯部材上から前記コーキング剤を施工することを特徴とし、特に、前記帯部材に、該帯部材を引き剥がす引き剥がし起点が設けられ、前記帯部材上から前記コーキング剤を施工した後、前記引き剥がし起点を引っ張り動かすことで、前記帯部材を前記コーキング剤と共に引き剥がすことを特徴とする。【選択図】図８
2017141313.tif 000002
【特許請求の範囲】
【請求項１】
機器同士の接合部へのコーキング剤の施工を実施する前に、前記接合部に網目状又は帯状の帯部材を取り付け、該帯部材上から前記コーキング剤を施工することを特徴とするコーキング施工方法。
【請求項２】
請求項１に記載のコーキング施工方法において、
前記帯部材に、該帯部材を引き剥がす引き剥がし起点が設けられ、前記帯部材上から前記コーキング剤を施工した後、前記引き剥がし起点を引っ張り動かすことで、前記帯部材を前記コーキング剤と共に引き剥がすことを特徴とするコーキング施工方法。
【請求項３】
請求項２に記載のコーキング施工方法において、
前記帯部材の引き剥がし起点は、紐状か或いはリング状のもの若しくはその両方から成り、前記帯部材を通すように取り付けられていることを特徴とするコーキング施工方法。
【請求項４】
請求項２又は３に記載のコーキング施工方法において、
前記コーキング剤は、前記帯部材の引き剥がし起点以外の前記帯部材部分に施工されることを特徴とするコーキング施工方法。
【請求項５】
請求項１乃至４のいずれか１項に記載のコーキング施工方法において、
前記帯部材は、ポリエステル繊維、ポリエチレン繊維、ポリプロピレン繊維、ナイロン繊維、ビニロン繊維、アラミド繊維のいずれか１つが使用されることを特徴とするコーキング施工方法。
【発明の詳細な説明】
【技術分野】
【０００１】
本発明はコーキング施工方法に係り、特に、機器同士の接合部に、防水や水密化対策のためにコーキング剤が施されるものに好適なコーキング施工方法に関する。
【背景技術】
【０００２】
発電施設などで使用されている弁は、用途が多種多様に渡り、様々な条件において使用されている。その中でも原子力発電プラントに使用されている電動弁は、原子力発電プラントの安全運転及び安定運転を行う上で大きな役割を担っている。この電動弁は、原子力発電プラントに流れる水や空気、ガス等の流体の制御機能と耐圧機能の役割を有している製品である。
【０００３】
その中で溢水対策等に伴い、各機器（ポンプ、タンク、配管等）において、防水や水密化対策が求められており、その処置として、機器同士の接合部にコーキング剤等による防水や水密化対策を施している電動弁が多数ある。
【０００４】
なお、機器同士の接合部にコーキング剤による防水や水密化対策を施している技術が、特許文献１に記載されている。
【０００５】
この特許文献１には、ガス絶縁機器の区画スペーサ取付け部において、２つのフランジ同士の接触部及びボルトとフランジ面との接触部にコーキングを施すことで、２つのフランジ同士の接触部及びボルトとフランジとの気密が保たれるので、外気に含まれる水分が区画スペーサに触れることがなくなり、外気から区画スペーサを介して水分が侵入することを防止することが記載されている。
【先行技術文献】
【特許文献】
【０００６】
【特許文献１】特開平０９−１６８２２１号公報
【発明の概要】
【発明が解決しようとする課題】
【０００７】
しかしながら、通常、コーキング施工をした機器においてもメンテナンスをする必要があるため、コーキング施工後にコーキング剤を剥がさざるを得ない場合がある。ところが、防水、水密化対策のため、コーキング剤はその粘着性を求めるが余り、剥がれ難い状況であるため、容易に剥がせる技術が望まれている。
【０００８】
上述した特許文献１には、防水や水密化対策については記載されているが、コーキング剤を剥がすことについては、全く配慮されていない。
【０００９】
本発明は上述の点に鑑みなされたもので、その目的とするところは、コーキング剤を容易に剥がすことができるコーキング施工方法を提供することにある。
【課題を解決するための手段】
【００１０】
本発明のコーキング施工方法は、上記目的を達成するために、機器同士の接合部へのコーキング剤の施工を実施する前に、前記接合部に網目状又は帯状の帯部材を取り付け、該帯部材上から前記コーキング剤を施工することを特徴とする。
【００１１】
特に、前記帯部材に、該帯部材を引き剥がす引き剥がし起点が設けられ、前記帯部材上から前記コーキング剤を施工した後、前記引き剥がし起点を引っ張り動かすことで、前記帯部材を前記コーキング剤と共に引き剥がすことを特徴とする。
【発明の効果】
【００１２】
本発明によれば、コーキング剤を容易に剥がすことができる。
【図面の簡単な説明】
【００１３】
【図１】本発明のコーキング施工方法が施工される例えば、原子力プラントにおける配管の途中に設置される電動弁を示す部分斜視図である。
【図２】図１のＡ−Ａ線に沿う断面図である。
【図３】図１に示したコーキング施工箇所に、網目状(メッシュ状)の帯部材を取り付けた状態を示す部分斜視図である。
【図４】図３のＢ−Ｂ線に沿う断面図である。
【図５】本実施例に採用される網目状(メッシュ状)の帯部材の詳細構造を示す図である。
【図６】本実施例に採用される他の帯部材である帯状の帯部材の詳細構造を示す図である。
【図７】図３の状態からコーキング剤を施工し、帯部材を引き剥がす引か剥がし起点が設けられた状態を示す部分斜視図である。
【図８】図７のＣ−Ｃ線に沿う断面図である。
【図９】本実施例における帯部材上からコーキング剤を施工した後、引き剥がし起点を引っ張り動かすことで、帯部材をコーキング剤と共に引き剥がす工程を示す部分斜視図である。
【発明を実施するための形態】
【００１４】
以下、図示した実施例に基づいて本発明のコーキング施工方法を説明する。なお、各図において、同一構成部品には同符号を使用する。
【実施例１】
【００１５】
図１及び図２に、本発明のコーキング施工方法が施工される例えば、原子力プラントにおける配管の途中に設置される電動弁１を示す。
【００１６】
該図に示す如く、電動弁１は、電動駆動機２に複数（本実施例では３個）に分割されたモータカバー３ａ、３ｂ、３ｃが取り付けられており、各モータカバー３ａ、３ｂ、３ｃの接合部には隙間４が形成されるため、この隙間４が防水、水密化対策のためのコーキング施工箇所８となる。
【００１７】
上述したコーキング施工箇所８に、網目状(メッシュ状)又は帯状の帯部材５を取り付けた状態を、図３及び図４に示す。
【００１８】
該図に示す如く、各モータカバー３ａ、３ｂ、３ｃの接合部に、隙間４を覆うように網目状(メッシュ状)又は帯状の帯部材５を、巻き付けるようにして取り付ける。網目状(メッシュ状)の帯部材５Ａの詳細構造を図５に、帯状の帯部材５Ｂの詳細構造を図６に示す。
【００１９】
次に、図３及び図４の状態からコーキング剤６を施工し、帯部材５を引き剥がす引か剥がし起点７が設けられた状態を図７及び図８に示す。
【００２０】
該図に示す如く、帯部材５に、この帯部材５を引き剥がす引き剥がし起点７が設けられ、帯部材５上からコーキング剤６をチェーブ銃等を用いて施工した後、図９の（ａ）、（ｂ）、（ｃ）に示すように、引き剥がし起点７を引っ張り動かすことで、帯部材５をコーキング剤６と共に引き剥がすことができる。
【００２１】
上記した帯部材５の引き剥がし起点７は、紐状か或いはリング状のもの若しくはその両方から成り、帯部材５を通すように取り付けられている。また、コーキング剤６は、例えばシリコン等から成り、帯部材５の引き剥がし起点７以外の帯部材７部分にチェーブ銃等を用いて施工されている。
【００２２】
また、帯部材５は、ポリエステル繊維、ポリエチレン繊維、ポリプロピレン繊維、ナイロン繊維、ビニロン繊維、アラミド繊維のいずれか１つが使用される。
【００２３】
このような本実施例とすることにより、コーキング施工箇所８にコーキング剤６を施工し、帯部材５をメッシュ状又は帯状にすることで、コーキング剤６がコーキング施工箇所８へ施工することができ、耐防水、水密コーキングができると共に、コーキング剤６が剥がしやすくなる。
【００２４】
また、引き剥がし起点７を帯部材５に通すように取り付けていることから、引き剥がし起点７を引っ張り動かすことにより、帯部材５をコーキング施工箇所８から引き剥がすことができ、コーキング剤６も同時に容易に引き剥がすことができる。
【００２５】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００２６】
１…電動弁、２…電動駆動機、３…モータカバー、４…隙間、５…帯部材、５Ａ…網目状(メッシュ状)の帯部材、５Ｂ…帯状の帯部材、６…コーキング剤、７…引き剥がし起点、８…コーキング施工箇所。
【図１】
2017141313.tif 000003
【図２】
2017141313.tif 000004
【図３】
2017141313.tif 000005
【図４】
2017141313.tif 000006
【図５】
2017141313.tif 000007
【図６】
2017141313.tif 000008
【図７】
2017141313.tif 000009
【図８】
2017141313.tif 000010
【図９】
2017141313.tif 000011